(57)【要約】【課題】  盤本体の前面に設けられる前部品と裏部品とを着脱容易なパチンコ機の遊技盤を提供する。【解決手段】  遊技部品５の裏部品４が盤本体２の逃孔２０に挿入され、遊技部品５の前部品３の裏面２１が逃孔２０を塞いで逃孔の周りにおける盤本体２の前面１１に接触し、前部品３が止ねじ２２で盤本体２に取付けられたパチンコ機の遊技盤１において、前部品３と裏部品４とが互いに分割構成され、前部品３にはねじ挿入孔２３が形成され、裏部品４にはねじ取付孔２５が形成され、止ねじ２６が前部品３の前側からねじ挿入孔２３を経由してねじ取付孔２５に締結されることによって、前部品３と裏部品４とが互いに結合された。【選択図】        図１
2005185589.tif 000002
【特許請求の範囲】
【請求項１】
遊技部品の裏部品が盤本体の逃孔に挿入され、遊技部品の前部品の裏面が逃孔を塞いで逃孔の周りにおける盤本体の前面に接触し、前部品が止ねじで盤本体に取付けられたパチンコ機の遊技盤において、前部品と裏部品とが互いに分割構成され、前部品にはねじ挿入孔が形成され、裏部品にはねじ取付孔が形成され、止ねじが前部品の前側からねじ挿入孔を経由してねじ取付孔に締結されることによって、前部品と裏部品とが互いに結合されたことを特徴とするパチンコ機の遊技盤。
【請求項２】
前部品が盤本体の前面の遊技領域から球を取込む取込部と取込部より取込まれた球を盤本体の裏側に自然流下させる前後方向に貫通する球通過口とを備え、裏部品が前面に前部品の球通過口と繋がる球樋の球樋口と球樋口の周囲に前部品の裏面と接触する当接面とを備え、この当接面より前後方向に延長するねじ取付孔が形成されたことを特徴とする請求項１に記載のパチンコ機の遊技盤。
【請求項３】
球通過口が球樋口よりも小さな口径に形成され、球通過口の口縁が球樋口の口縁より内側に位置したことを特徴とする請求項２に記載のパチンコ機の遊技盤。
【発明の詳細な説明】
【技術分野】
【０００１】
本発明は、盤本体の前面に設けられる前部品と裏部品とを着脱容易なパチンコ機の遊技盤に関する。
【背景技術】
【０００２】
パチンコ機の遊技盤は、盤本体の前面に前部品を備え、盤本体の裏面に裏部品を備えている。前部品は、ガイドレール、障害釘とも呼ばれる遊技釘、風車、サイドランプ、入賞部品、ハートと呼ばれるアウト口部品、盤面飾りなどである。遊技釘、風車、サイドランプ、入賞部品、アウト口部品は、ガイドレールで囲まれた盤本体の前面における遊技領域に配置される。盤面飾りは、ガイドレールよりも外側の盤本体の前面における非遊技領域に配置される。裏部品としては、例えば、遊技領域から入賞部品またはアウト口部品を経由して盤本体の裏側に排出される球を下方に誘導して排出するセット板または集合樋である。これらの前部品および裏部品にあっては、前部品の裏面に設けられた前側係合体と裏部品の前面に設けられた裏側係合体とが、盤本体に形成された逃孔を経由して互いに掛け止められることによって、前部品と裏部品とが逃孔の周りにおける盤本体を前後方向から挟み付けて盤本体に固定されることが知られている。しかしながら、前部品と裏部品とが盤本体に取付けられた状態においては、前部品と裏部品とで塞がれた盤本体の逃孔の内部において、前側係合体と裏側係合体とが互いに前後方向と交差する横方向の凸凹で嵌り合う構造になっている。このため、盤本体に取付けられた前部品と裏部品とを盤本体から取外すには、多大な労力と時間が必要であり、特に、前部品と裏部品とを互いに分離しにくい。
【特許文献１】実公平１−４０５３６号公報
【特許文献２】実公平６−４２７１０号公報
【特許文献３】実公平６−５８２８号公報
【発明の開示】
【発明が解決しようとする課題】
【０００３】
発明が解決しようとする問題点は、盤本体に取付けられた前部品と裏部品とを盤本体から取外すことをやりにくく、特に、前部品と裏部品とを互いに分離しにくいという点である。
【課題を解決するための手段】
【０００４】
本発明に係るパチンコ機の遊技盤は、遊技部品の裏部品が盤本体の逃孔に挿入され、遊技部品の前部品の裏面が逃孔を塞いで逃孔の周りにおける盤本体の前面に接触し、前部品が止ねじで盤本体に取付けられたパチンコ機の遊技盤において、前部品と裏部品とが互いに分割構成され、前部品にはねじ挿入孔が形成され、裏部品にはねじ取付孔が形成され、止ねじが前部品の前側からねじ挿入孔を経由してねじ取付孔に締結されることによって、前部品と裏部品とが互いに結合されたことを最も特徴とする。前部品が盤本体の前面の遊技領域から球を取込む取込部と取込部より取込まれた球を盤本体の裏側に自然流下させる前後方向に貫通する球通過口とを備え、裏部品が前面に前部品の球通過口と繋がる球樋の球樋口と球樋口の周囲に前部品の裏面と接触する当接面とを備え、この当接面より前後方向に延長するねじ取付孔が形成されたことや、球通過口が球樋口よりも小さな口径に形成され、球通過口の口縁が球樋口の口縁より内側に位置したことも特徴とする。
【発明の効果】
【０００５】
本発明に係るパチンコ機の遊技盤は、止ねじが前部品の前側からねじ挿入孔を経由してねじ取付孔に締結されることによって、前部品と裏部品とが互いに結合されるので、盤本体に取付けられた前部品から裏部品を取外す場合、止ねじが、盤本体の前側からドライバーのような工具で、締結解除方向に回転操作されることによって取外されるだけで裏部品と前部品とを分離でき、裏部品を簡単に取外せる。これにより、裏部品のリサイクルが可能となる。前部品が止ねじで盤本体の前面に取付けられることによって、前部品が逃孔を盤本体の前側から見えないように塞ぐので、球が遊技領域を適切に流下するとともに遊技盤の前側からの見栄えもよくなるという利点がある。前部品の裏面とこの裏面に接触する裏部品の球樋口周りの当接面との接触が維持された状態で前部品と裏部品とが止ねじで結合され、前部品の球通過口と裏部品の球樋口とが隙間なく連設されるので、取込部；球通過口；球樋口；球樋からなる確実な入賞球経路を形成できる入賞部品が得られる。球通路の上流側にある球通過口の口縁が下流側の球樋口の口縁より内側に位置するので、取込部から自然流下してくる球が球樋口の口縁に引っ掛かることなくスムーズに球樋に流れ、球詰まりを解消できる。
【発明を実施するための最良の形態】
【０００６】
図１−図４は実施形態である。図１のａ図は遊技部品５の前部品３と裏部品４とを分解して示す。図１のｂ図は盤本体２と前部品３と裏部品４との組立断面を示す。図２は前部品３からの裏部品４の取外しを示す。図３は前部品３の取付けられた遊技盤１の正面を示す。図４は前部品３と裏部品４の具体例を分解して示す。
【０００７】
図３を参照し、遊技盤１について説明する。遊技盤１は、盤本体２と前部品３と裏部品４とを備える。前部品３と裏部品４とは結合されて遊技部品５を形成する。前部品３としては、盤本体２の前面に設けられる、センター飾り６、一般入賞部品７、始動入賞部品８、可変入賞部品９を例示している。裏部品４は、盤本体２の裏面に設けられ、遊技領域１０から一般入賞部品７、始動入賞部品８または可変入賞部品９を経由して盤本体２の裏側に排出される球を下方に誘導して排出する、セット板または集合樋と呼ばれる球樋である。
【０００８】
盤本体２の前面１１には外レール１２と内レール１３とからなるガイドレールが設けられる。外レール１２と内レール１３とが、盤本体２の前面１１に取付けられることによって、盤本体２の前面１１にガイドレールで囲まれた内側に遊技領域１０を形成するとともに、遊技領域１０の左側に連接する発射通路１４を形成する。球戻り防止弁１５が発射通路１４の出口を塞ぐように、球戻り防止弁１５の基端部が内レール１３に取付けられることによって、球戻り防止弁１５は、発射通路１４から球戻り防止弁１５を押し開けて遊技領域１０に発射された球が遊技領域１０から発射通路１４に戻るのを防止する。遊技領域１０に入った球がいずれの入賞部品にも入賞しなかった場合はアウト口１６から遊技盤１の裏側の図外の排出樋に排出される。
【０００９】
図１を参照し、盤本体２に取付けられる前部品３と裏部品４とからなる遊技部品５について説明する。盤本体２には前後方向に貫通する逃孔２０が形成され、裏部品４が盤本体２の逃孔２０に挿入され、前部品３の裏面２１が逃孔２０を塞いで逃孔２０の周りにおける盤本体２の前面１１に接触し、前部品３が止ねじ２２で盤本体２の前面１１に取付けられる。前部品３には前後方向に貫通するねじ挿入孔２３が形成され、裏部品４の前面２４にはねじ取付孔２５が形成される。そして、止ねじ２６が前部品３の前側からねじ挿入孔２３を経由してねじ取付孔２５に締結されることによって、図１のｂ図に示すように前部品３と裏部品４とが互いに結合された遊技部品５が盤本体２に取付けられた遊技盤１となる。即ち、遊技盤１の前後方向に貫通する逃孔２０と、遊技盤１の逃孔２０周りの前面１１に取付られて逃孔２０を塞ぐ前部品３と、前部品３の前側から止ねじ２６で前部品３と互いに連結された裏部品４とを備えた遊技盤１が形成される。前部品３は遊技領域１０から球を取込む取込部３１と取込部３１より取込まれた球を遊技盤１の裏側に自然流下させる前後方向に貫通する球通過口３２とを備える。裏部品４は前面に前部品３の球通過口３２と繋がる球樋３３の球樋口３４と球樋口３４の周囲に前部品３の裏面２１と接触する当接面３５とを備える。この当接面３５より前後方向に延長するねじ取付孔２５が形成される。よって、前部品３と裏部品４とが前部品３の前側からねじ挿入孔２３およびねじ取付孔２５に止ねじ２６で締結されることで、前部品３と裏部品４とが結合されて取込部３１；球通過口３２；球樋口３４；球樋３３とからなる確実な入賞球経路を形成できる遊技部品としての入賞部品、例えば一般入賞部品７、始動入賞部品８、可変入賞部品９が形成される。また、図１のｂ図に示すように、球通過口３２が球樋口３４よりも小さな口径に形成され、そして、球通過口３２の口縁３７が球樋口３４の口縁３８より内側にくるように前部品３と裏部品４とが結合されるので、取込部３１から自然流下してくる球が球樋口３４の口縁３８に引っ掛かることなくスムーズに球樋３３に流れる。即ち、球通過口３２より球通路の下流側である球樋口３４の口縁３８が球通過口３２の内部方向に突出せず、入賞球経路に球の流下を邪魔する邪魔物がなくなるので、球詰まりを解消できる。
【００１０】
前部品３としてのセンター飾り６は、盤本体２に形成された逃孔２０内に裏側から液晶表示面４０が前方を向くように挿入され盤本体２の裏面に取付けられた液晶表示器４１の前面である液晶表示面４０を覆うものであり、液晶表示面４０に対向する透過性パネル４２の周囲に飾部４３を備える。この飾部４３が止ねじ２２で盤本体２の前面１１に取付けられるとともに、飾部４３の裏面２１と裏部品４としてのセット板の前面とが、飾部４３の前側からねじ挿入孔２３に挿入されてねじ取付孔２５に締結される止ねじ２６によって互いに結合される。
【００１１】
前部品３としての一般入賞部品７は、遊技領域１０から取込んだ球を盤本体２の裏側に排出する取込形であって、ポケット形の入賞口部４５と取付ベース４６とを備える。この取付ベース４６が止ねじ２２で盤本体２の前面１１に取付けられるとともに、取付ベース４６の裏面２１と裏部品４としての球樋３３とが、取付ベース４６の前側からねじ挿入孔２３に挿入されてねじ取付孔２５に締結される止ねじ２６によって互いに結合される。
【００１２】
前部品３としての始動入賞部品８は、遊技領域１０から取込んだ球を盤本体２の裏側に排出する取込形であって、左右に互いに離反および近接するよう開閉する一対の羽根５０を上部に備えた入賞口部５１と取付ベース５２とを備える。この取付ベース５２が止ねじ２２で盤本体２の前面１１に取付けられるとともに、取付ベース５２の裏面と裏部品４として例えば図外の羽根駆動ソレノイドを備えた球樋３３とが、取付ベース５２の前側からねじ挿入孔２３に挿入されてねじ取付孔２５に締結される止ねじ２６によって互いに結合される。
【００１３】
図４にも示すように、前部品３としての可変入賞部品９は、遊技領域１０から取込んだ球を盤本体２の裏側に排出する取込形であって、取付ベース６０と取付ベース６０に前後方向に貫通して形成された横長長方形状開口の入賞口６１と入賞口６１の下部両側を回転支点として回転して入賞口６１を開閉する前後動回転開閉体６２とを備える。取付ベース６０が止ねじ２２で盤本体２の前面１１に取付けられるとともに、取付ベース６０の裏面２１と裏部品４として例えば前後動回転開閉体６２を作動させる駆動ソレノイド６４を備えた球樋部品６５とが取付ベース６０の前側からねじ挿入孔２３に挿入されてねじ取付孔２５に締結される止ねじ２６によって互いに結合される。前後動回転開閉体６２は下部両側に回転軸６６を備え、これら回転軸６６が入賞口６１の開口縁の下端側両端に形成された軸受部６７に支持されたことで、前後動回転開閉体６２は下端を回転中心として上端側が前後に回転移動する。裏部品４である球樋部品６５の前面２４には入賞口６１の口径より大きい口径の球樋口３４と球樋口３４の後側に続く孔部６８が形成されている。孔部６８内の後部にはＶゾーンと呼ばれる特定入賞口７０と、この特定入賞口７０の両側に位置するカウントゾーンと呼ばれる普通入賞口７１；７１とを備える。これら特定入賞口７０、普通入賞口７１に続く図外の球樋部分には図外の球検出器を内蔵する。駆動ソレノイド６４のプランジャ７３の駆動により動く作動部材７４は孔部６８内を通って前後動回転開閉体６２の裏面より後方に突出して形成された係合部材７５に係合して前後動回転開閉体６２に動力を伝達する。なお、球樋部品６５の裏面には後方に突出する取付支柱７６が設けられ、取付支柱７６には電気回路基板７７が取付けられている。
【００１４】
実施形態によれば、図１に示すように、止ねじ２６が前部品３の前側からねじ挿入孔２３を経由してねじ取付孔２５に締結されることによって、前部品３と裏部品４とが互いに結合されるので、盤本体２に取付けられた前部品３から裏部品４を取外す場合、図２に示すように、盤本体２の前側からドライバーのような工具で止ねじ２６を取外すと裏部品４が前部品３から脱落して分離されるので、裏部品４を簡単に取外せる。これにより、裏部品４のリサイクルが可能となる。
【産業上の利用可能性】
【００１５】
本発明は遊技領域１０から取込んだ球を遊技盤１の裏側に排出することなく遊技領域１０に排出する球通過形の入賞部品を構成する前部品と裏部品とにも適用できる。
【図面の簡単な説明】
【００１６】
【図１】実施形態によるパチンコ機の遊技盤を示し、ａ図は前部品と裏部品との分解断面図、ｂ図は盤本体と前部品と裏部品との組立断面図。
【図２】裏部品の取外し態様を示す図。
【図３】遊技盤を示す正面図。
【図４】前部品と裏部品との具体例による分解斜視図。
【符号の説明】
【００１７】
１  遊技盤、２  盤本体、３  前部品、４  裏部品、５  遊技部品、
２０  逃孔、２３  ねじ挿入孔、２５  ねじ取付孔、３１  取込部、３２  球通過、
３３  球樋、３４  球樋、３５  当接面、３７  球通過口の口縁、３８  球樋口の口縁。
【図１】
2005185589.tif 000003
【図２】
2005185589.tif 000004
【図３】
2005185589.tif 000005
【図４】
2005185589.tif 000006